(57)【要約】      （修正有）【課題】飾り台や収納箱として利用でき、構成簡素で、製造し易く、量産に適し、低廉で、オルゴール装置が奏でる音が箱本体や蓋体に確実に伝わってから聞こえ、音が収納箱によって大きく響いて聞こえ、音が開放部を介してより大きく聞こえる興趣に富む節句人形の飾り台兼用収納箱を提供する。【解決手段】上部を開口した箱本体Ａと、箱本体Ａの上部開口部分を施蓋可能な蓋体Ｂと、箱本体Ａの内表面に密着して装着したオルゴール装置Ｃとを備え、箱本体Ａの底板より下方に台座部６を連設し、台座部６の正面壁部の下端縁部分に、切欠状の開放部６ａを形成し、オルゴール装置Ｃを作動したときに、オルゴール装置Ｃが奏でる音の一部が開放部６ａを介して流れるように構成する。【選択図】図１
0003152964.tif 000002
【実用新案登録請求の範囲】
【請求項１】
三月節句人形や五月節句人形やその他の人形の飾り台として利用できると共に、不使用時に於いてこれらの人形の収納箱としても利用できるように形成した節句人形の飾り台兼用収納箱であって、上部が開口されている箱本体と、この箱本体の上部開口部分を施蓋可能な蓋体と、箱本体の内表面に密着して装着されるオルゴール装置とを備え、箱本体の底板より下方に台座部を連設し、この台座部の正面壁部の下端縁部分に、切欠状の開放部を形成し、オルゴール装置を作動したときに、オルゴール装置が奏でる音の一部が開放部を介して流れるように構成したことを特徴とする節句人形の飾り台兼用収納箱。
【請求項２】
前記蓋体は、箱本体の上部開口部分に載置される蓋基板と、この蓋基板の中央部分の刳り貫き部に装着されると共に、蓋基板より薄く形成される装飾畳板とで構成したことを特徴とする請求項１記載の節句人形の飾り台兼用収納箱。
【請求項３】
前記箱本体は、正面板と背面板と右側板と左側板と底板と台座部とからなり、正面板の外表面中央部分に装飾凹部を形成したことを特徴とする請求項１または請求項２記載の節句人形の飾り台兼用収納箱。
【請求項４】
前記箱本体の右側板と左側板の上部に、取手兼用となる開口部を設けたことを特徴とする請求項１または請求項２または請求項３記載の節句人形の飾り台兼用収納箱。
【考案の詳細な説明】
【技術分野】
【０００１】
本考案は、主に、三月節句人形や五月節句人形やその他の人形を載置する飾り台として利用できると共に、これらの人形を収納する収納箱としても利用できる節句人形の飾り台兼用収納箱に係り、特に、オルゴール装置を組み込んで、より興趣に富むものとなるようにすると共に、オルゴール装置の奏でる音が、収納箱によってより大きく響いて聞こえるように工夫した節句人形の飾り台兼用収納箱に関するものである。
【背景技術】
【０００２】
従来、この種の節句人形の飾り台兼用収納箱としては、例えば、特許文献１に示すような雛人形等の載置台兼用収納箱が提案されている。これは、箱本体と蓋体とからなる箱体内に雛人形や道具や幕板や屏風等を収納できるように形成し、載置台として使用する際には、これらを取出して箱体にセットするように構成されたものである。
【先行技術文献】
【特許文献】
【０００３】
【特許文献１】実用新案登録第３０１３８５０号公報
【考案の概要】
【考案が解決しようとする課題】
【０００４】
しかしながら、前述の如き雛人形等の載置台兼用収納箱にあっては、単に収納箱として利用できることや、単に載置台として利用できること等の実用的な点のみを採用したものとなっており、利用者にとっては興趣に乏しい難点があった。
【０００５】
そこで、本考案は、オルゴール装置を利用することにより興趣に富むものとして、利用者である子供たちが楽しめるようにし、更に、オルゴール装置の奏でる音が、より大きく響いて聞こえるような節句人形の飾り台兼用収納箱を提供できるようにすべく案出されたものである。
【課題を解決するための手段】
【０００６】
しかして、前述の如き課題等を達成すべく、請求項１記載の節句人形の飾り台兼用収納箱にあっては、三月節句人形や五月節句人形やその他の人形の飾り台として利用できると共に、不使用時に於いてこれらの人形の収納箱としても利用できるように形成した節句人形の飾り台兼用収納箱であって、上部が開口されている箱本体Ａと、この箱本体Ａの上部開口部分を施蓋可能な蓋体Ｂと、箱本体Ａの内表面に密着して装着されるオルゴール装置Ｃとを備え、箱本体Ａの底板５より下方に台座部６を連設し、この台座部６の正面壁部の下端縁部分に、切欠状の開放部６ａを形成し、オルゴール装置Ｃを作動したときに、オルゴール装置Ｃが奏でる音の一部が開放部６ａを介して流れるように構成する手段を採用した。
【０００７】
また、請求項２記載の節句人形の飾り台兼用収納箱にあっては、前記蓋体Ｂは、箱本体Ａの上部開口部分に載置される蓋基板１０と、この蓋基板１０の中央部分の刳り貫き部１０ａに装着されると共に、蓋基板１０より薄く形成される装飾畳板１１とで構成する手段を採用した。
【０００８】
更に、請求項３記載の節句人形の飾り台兼用収納箱にあっては、前記箱本体Ａは、正面板１と背面板２と右側板３と左側板４と底板５と台座部６とからなり、正面板１の外表面中央部分に装飾凹部１ａを形成する手段を採用した。
【０００９】
そして、請求項４記載の節句人形の飾り台兼用収納箱にあっては、前記箱本体Ａの右側板３と左側板４の上部に、取手兼用となる開口部３ａ、４ａを設ける手段を採用した。
【考案の効果】
【００１０】
従って、本考案の請求項１記載の節句人形の飾り台兼用収納箱によれば、三月節句人形や五月節句人形やその他の人形を蓋体Ｂの上に載置する飾り台として利用できると共に、これらの人形を箱本体Ａ内に収納する収納箱としても利用できるものとなる。しかも、構成が簡素で、製造し易く、量産に適し、低廉に提供できるようになる。
特に、オルゴール装置Ｃを箱本体Ａの内表面に密着して装着させたので、オルゴール装置Ｃを作動させると、オルゴール装置Ｃが奏でる音が箱本体Ａや蓋体Ｂに確実に伝わってから聞こえるようになり、興趣に富む節句人形の飾り台兼用収納箱となる。しかも、オルゴール装置Ｃの奏でる音が、収納箱によって大きく響いて聞こえるようになる。
加えて、箱本体Ａの底板５より下方に台座部６を連設し、この台座部６の正面壁部の下端縁部分に、切欠状の開放部６ａを形成し、オルゴール装置Ｃを作動したときに、オルゴール装置Ｃが奏でる音の一部が開放部６ａを介して流れるように構成したので、オルゴール装置Ｃの奏でる音が、開放部６ａを介してより大きく聞こえるようになる。
【００１１】
また、本考案の請求項２記載の節句人形の飾り台兼用収納箱によれば、装飾畳板１１によって外観上の体裁が良くなり、この上に節句人形等が載置されると、より豪華な雰囲気を醸し出せるようになる。
しかも、装飾畳板１１は、蓋基板１０より薄く形成されているので、オルゴール装置Ｃの奏でる音がより響くようになる。
【００１２】
更に、本考案の請求項３記載の節句人形の飾り台兼用収納箱によれば、正面板１の外表面中央部分に装飾凹部１ａを形成したので、正面板１の外観上の体裁が良くなり、より豪華な雰囲気を醸し出せるようになる。
しかも、装飾凹部１ａ部分は薄くなるため、オルゴール装置Ｃの奏でる音がより響くようになる。
【００１３】
そして、本考案の請求項４記載の節句人形の飾り台兼用収納箱によれば、開口部３ａ、４ａを取手として利用でき、飾り台兼用収納箱の移動等が簡単に行えるようになる。
加えて、オルゴール装置Ｃを作動したときに、オルゴール装置Ｃが奏でる音の一部が開口部３ａ、４ａを介して飾り台兼用収納箱の外部にスムーズに流れるようになり、オルゴール装置Ｃの奏でる音が、開口部３ａ、４ａを介してより大きく聞こえるようになる。
【図面の簡単な説明】
【００１４】
【図１】本考案の節句人形の飾り台兼用収納箱を例示する分解斜視図である。
【図２】本考案の節句人形の飾り台兼用収納箱を例示する縦断正面図である。
【図３】本考案の節句人形の飾り台兼用収納箱を例示する縦断側面図である。
【図４】本考案の他の節句人形の飾り台兼用収納箱を例示する分解斜視図である。
【図５】本考案の他の節句人形の飾り台兼用収納箱を例示する縦断正面図である。
【図６】本考案の他の節句人形の飾り台兼用収納箱を例示する縦断側面図である。
【考案を実施するための形態】
【００１５】
以下、本考案を図示例に基づいて説明すると、次の通りである。
本考案は、例えば、三月節句人形や五月節句人形やその他の人形の飾り台として利用できると共に、不使用時に於いてこれらの人形の収納箱としても利用できるように形成した節句人形の飾り台兼用収納箱である。
具体的には、上部が開口されている箱本体Ａと、この箱本体Ａの上部開口部分を施蓋可能な蓋体Ｂと、箱本体Ａの内表面に密着して装着されるオルゴール装置Ｃとを備えたものとなっている。
更に、箱本体Ａの底板５より下方に台座部６を連設し、この台座部６の正面壁部の下端縁部分に、切欠状の開放部６ａを形成し、オルゴール装置Ｃを作動したときに、オルゴール装置Ｃが奏でる音の一部が開放部６ａを介して流れるように構成したものである。
すなわち、オルゴール装置Ｃの奏でる音が、開放部６ａを介してより大きく聞こえるようにすることにより、前述の如き課題を達成する。
【実施例】
【００１６】
前記箱本体Ａは、例えば、横長矩形状の正面板１と、横長矩形状の背面板２と、矩形状の右側板３と、矩形状の左側板４と、横長矩形状の底板５と、この底板５の下方に連設される台座部６とで構成されている。すなわち、正面板１と背面板２と右側板３と左側板４と底板５とで、上部が開口されている直方体状の箱を形成し、この下部に台座部６を連設したものである。
しかも、台座部６は、正面壁部と背面壁部と右側壁部と左側壁部とからなり、底板５の周縁部分から下方に向って連設されると共に、正面板１や背面板２や右側板３や左側板４より僅かに外方に張り出すようにして形成されており、外観上の体裁が良くなるように形成されている。
【００１７】
また、前記蓋体Ｂは、例えば、箱本体Ａの上部開口部分を施蓋可能な横長矩形状の蓋基板１０と、この蓋基板１０より小さくて薄い横長矩形板状の畳板１１とで構成され、蓋基板１０は、その中央部分に横長矩形状の刳り貫き部１０ａが形成され、この刳り貫き部１０ａに装飾畳板１１が装着できるように形成されている。しかも、蓋基板１０は、その周縁部分に下方に向って僅かに延設されるような周壁部が形成されており、この周壁部は、箱本体Ａの上部外表面がわに位置して、箱本体Ａに対して蓋基板１０が水平方向に移動しないように形成してある。
【００１８】
前記オルゴール装置Ｃは、例えば、ゼンマイ式のものや電動式のもの等が利用でき、オルゴール本体部が箱本体Ａの内表面がわに密着して装着され、ゼンマイを捲くことができる摘み１５や内蔵モーターを駆動させる押しボタン等が箱本体Ａの外表面がわに配設されるように形成してある。
【００１９】
前記正面板１は、例えば、その外表面中央部分に装飾凹部１ａを形成することができる。すなわち、装飾凹部１ａの表面には適宜図柄、模様等の装飾が施され、正面板１の外観上の体裁を良くして、豪華な雰囲気を醸し出せるように形成しても良い。
尚、装飾凹部１ａは、例えば、正面板１の中央部分に窓孔を穿設し、正面板１の内表面がわに、その表面に予め適宜装飾を施した装飾薄板を窓孔を塞ぐように接着することにより構成しても良い（図３参照）。すなわち、装飾凹部１ａ部分は薄くなるため、オルゴール装置Ｃの奏でる音がより響くように形成することができる。
ところで、正面板１は、例えば、一対の右扉板と左扉板で構成し、箱本体Ａの正面がわが観音開き状に開くように構成しても良い（図示せず）。
【００２０】
前記右側板３と左側板４は、例えば、夫々の上部に、横長円状の開口部３ａ、４ａを穿設しても良く、この開口部３ａ、４ａは、取手として利用でき、飾り台兼用収納箱の移動等がより簡単に行えるように形成されている。
また、オルゴール装置Ｃを右側板３や左側板４の内表面に装着したときに、オルゴール装置Ｃが奏でる音の一部が開口部３ａ、４ａを介して飾り台兼用収納箱の外部にスムーズに流れて、オルゴール装置Ｃの奏でる音が、開口部３ａ、４ａを介してより大きく聞こえるようにできる。
【００２１】
前記台座部６は、例えば、その正面壁部の下端縁部分に横長な切欠状の開放部６ａが形成してあり、オルゴール装置Ｃを台座部６の右側壁部や左側壁部の内表面に装着したときに、或いは、オルゴール装置Ｃを右側板３や左側板４の内表面に装着したときに、オルゴール装置Ｃが奏でる音の一部が開放部６ａを介して飾り台兼用収納箱の外部にスムーズに流れて、オルゴール装置Ｃの奏でる音が、開放部６ａを介してより大きく聞こえるように形成されている。
【００２２】
尚、箱本体Ａは、適宜木製でその表面には適宜塗装が施されるようになっているが、適宜合成樹脂材や適宜複合材等で構成しても良い。
【００２３】
また、蓋体Ｂの蓋基板１０は、適宜木製でその表面には適宜塗装が施されるようになっているが、適宜合成樹脂材や適宜複合材等で構成しても良い。更に、装飾畳板１１は、例えば、高級感がでるように藺草を利用して形成されている。
【００２４】
ところで、飾り台兼用収納箱の具体的構成、形状、寸法、材質、箱本体Ａの具体的構成、形状、寸法、材質、蓋体Ｂの具体的構成、形状、寸法、材質、オルゴール装置Ｃの具体的構成、形状、寸法、材質、配設位置、正面板１の具体的構成、形状、寸法、材質、装飾凹部１ａの具体的構成、形状、寸法、背面板２の具体的構成、形状、寸法、材質、右側板３の具体的構成、形状、寸法、材質、開口部３ａの具体的形状、寸法、配設位置、左側板４の具体的構成、形状、寸法、材質、開口部４ａの具体的形状、寸法、配設位置、底板５の具体的構成、形状、寸法、材質、台座部６の具体的構成、形状、寸法、材質、開放部６ａの具体的形状、寸法、配設位置、蓋基板１０の具体的構成、形状、寸法、材質、装飾畳板１１の具体的構成、形状、寸法、材質、摘み１５の具体的構成、形状、寸法、配設位置等は図示例のものなどに限定されることなく適宜自由に設定、変更できるものである。
【産業上の利用可能性】
【００２５】
しかして、本考案の節句人形の飾り台兼用収納箱は、人形を載置する飾り台として利用できると共に、これらの人形を収納する収納箱としても利用でき、更に、オルゴール装置Ｃによって、より興趣に富み、オルゴール装置の奏でる音が、収納箱によってより大きく響いて聞こえるようになる。
【符号の説明】
【００２６】
Ａ      箱本体
１      正面板
１ａ    装飾凹部
２      背面板
３      右側板
３ａ    開口部
４      左側板
４ａ    開口部
５      底板
６      台座部
６ａ    開放部
Ｂ      蓋体
１０    蓋基板
１０ａ  刳り貫き部
１１    装飾畳板
Ｃ      オルゴール装置
１５    摘み
【図１】
0003152964.tif 000003
【図２】
0003152964.tif 000004
【図３】
0003152964.tif 000005
【図４】
0003152964.tif 000006
【図５】
0003152964.tif 000007
【図６】
0003152964.tif 000008